(57)【要約】  【課題】可動役物の大型化に伴い特に可動役物を細長く構成した場合に、可動役物を回動させる負荷、特に、可動役物を所定回動範囲内で機敏に往復回動させる負荷を軽減し、更に、可動役物の落下を利用して可動役物を迅速且つ大胆に下方へ回動させ、演出効果を高めることができる、役物装置を備えた遊技機を提供する。  【解決手段】役物装置１６において、可動役物４０の基端側部分を支持して、可動役物４０を作動位置から待機位置へ回動駆動する役物主駆動機構６０と、可動役物４０の回動範囲に含まれる所定回動範囲内において、可動役物４０の先端側部分を支持して、可動役物４０を回動駆動する役物副駆動機構６５とを備えている。【選択図】  図１７
2010142277.tif 000002
【特許請求の範囲】
【請求項１】
第１位置と第２位置とに亙って回動自在に基端部が支軸を介して機枠に支持された可動役物を有する役物装置を備えた遊技機において、
前記可動役物の基端側部分を支持して、可動役物を少なくとも第１，第２位置の一方から他方へ回動駆動する役物主駆動機構と、
前記可動役物の回動範囲に含まれる所定回動範囲内において、可動役物の先端側部分を支持して、可動役物を回動駆動する役物副駆動機構と、
を備えたことを特徴とする遊技機。
【請求項２】
前記役物主駆動機構の可動役物に対する連動連結を接続・分離可能な主駆動機構接続分離手段と、前記役物副駆動機構の可動役物に対する連動連結を接続・分離可能な副駆動機構接続分離手段とを備えたことを特徴とする請求項１に記載の遊技機。
【請求項３】
前記主駆動機構接続分離手段は、少なくとも役物副駆動機構による可動役物の駆動中、役物主駆動機構の可動役物に対する連動連結を分離し、前記副駆動機構接続分離手段は、少なくとも役物主駆動機構による可動役物の駆動中、役物副駆動機構の可動役物に対する連動連結を分離することを特徴とする請求項２に記載の遊技機。
【請求項４】
前記第１位置は、可動役物の回動範囲の上端側の待機位置であり、前記第２位置は、可動役物の回動範囲の下端側の作動位置であり、
前記役物副駆動機構は、待機位置を含む所定回動範囲内において可動役物を上下に往復回動させることを特徴とする請求項３に記載の遊技機。
【請求項５】
前記役物主駆動機構は、可動役物を作動位置から待機位置へ回動駆動し、
前記主駆動機構接続分離手段は、可動役物を待機位置に係止解除可能に係止する役物係止機構を有し、この役物係止機構により可動役物を待機位置に係止した状態で役物主駆動機構の可動役物に対する連動連結を分離するとともに、役物係止機構による可動役物の係止を解除して可動役物を作動位置へ落下させることを特徴とする請求項４に記載の遊技機。
【請求項６】
前記役物主駆動機構は、前記支軸から偏心した位置に配設された主駆動軸と、この主駆動軸を回動させる主電動モータと、主駆動軸に固着された主アーム部材とを有し、この主アーム部材が可動役物の基端側部分に設けられた主係合部に係合解除可能に係合して、可動役物に回動駆動力を入力することを特徴とすることを特徴とする請求項１〜５の何れかに記載の遊技機。
【請求項７】
前記役物副駆動機構は、可動役物の先端側に配設された副駆動軸と、この副駆動軸を回動させる副電動モータと、副駆動軸に固着された副アーム部材とを有し、この副アーム部材が可動役物の先端側部分に設けられた副係合部に係合解除可能に係合して、可動役物に回動駆動力を入力して可動役物を往復回動させることを特徴とすることを特徴とする請求項１〜５の何れかに記載の遊技機。
【請求項８】
前記可動役物が細長く構成されたことを特徴とする請求項１〜７の何れかに記載の遊技機。
【発明の詳細な説明】
【技術分野】
【０００１】
本発明は遊技機の役物装置に関し、特に、可動役物の基端側部分を支持して、可動役物を少なくとも第１，第２位置の一方から他方へ回動駆動する役物主駆動機構と、可動役物の回動範囲に含まれる所定回動範囲内において、可動役物の先端側部分を支持して、可動役物を回動駆動する役物副駆動機構とを備えたものである。
【背景技術】
【０００２】
パチンコ遊技機の可動役物を備えた役物装置において、近年、可動役物が大型化する傾向にある。可動役物が支軸を中心に回動するものでは、役物駆動機構により、可動役物を回動させる回動駆動力を可動役物に支軸側から入力するのが一般的である（例えば、特許文献１参照）。ここで、可動役物の大型化、つまり重量増大に伴い、可動役物を回動させる役物駆動機構の負荷が大きくなる。
【０００３】
【特許文献１】特開２００８−１１３９７１号公報
【発明の開示】
【発明が解決しようとする課題】
【０００４】
パチンコ遊技機の役物装置において、可動役物が支軸を中心に回動し、そのために、役物駆動機構により回動駆動力を可動役物に支軸側から入力するのもでは、可動役物の大型化に伴い、特に可動役物を細長く構成した場合に、可動役物を回動させる役物駆動機構の負荷が大きくなるため、可動役物を迅速・機敏に回動させることが困難になる。依って、可動役物の動作遅れが生じる、可動役物の躍動感を出せない、等の問題が発生し、演出効果を高めることができなくなる。
【０００５】
演出効果を高めるために、可動役物を所定回動範囲内で機敏に往復回動させたい場合、勿論上記課題が生じ、役物駆動機構（電動モータ）が過負荷状態となり損傷することも懸念される。そして、略水平姿勢の可動役物を機敏に往復回動させたい場合、可動役物の支軸からの水平方向レバー長が略最大となり、つまり、可動役物を上方へ回動駆動する負荷が略最大となるため、以上の課題は顕著になる。
【０００６】
本発明の目的は、可動役物の大型化に伴い特に可動役物を細長く構成した場合に、可動役物を回動させる負荷、特に、可動役物を所定回動範囲内で機敏に往復回動させる負荷を軽減し、更に、可動役物の落下を利用して可動役物を迅速且つ大胆に下方へ回動させ、演出効果を高めることができる、役物装置を備えた遊技機を提供することである。
【課題を解決するための手段】
【０００７】
請求項１の発明は、第１位置と第２位置とに亙って回動自在に基端部が支軸(41)を介して機枠(17a) に支持された可動役物(40)を有する役物装置(16)を備えた遊技機(1) において、前記可動役物(40)の基端側部分を支持して、可動役物(40)を少なくとも第１，第２位置の一方から他方へ回動駆動する役物主駆動機構(60)と、前記可動役物(40)の回動範囲に含まれる所定回動範囲内において、可動役物(40)の先端側部分を支持して、可動役物(40)を回動駆動する役物副駆動機構(65)とを備えたことを特徴とする。
【０００８】
請求項２の発明は、請求項１の発明において、前記役物主駆動機構(60)の可動役物(40)に対する連動連結を接続・分離可能な主駆動機構接続分離手段(70)と、前記役物副駆動機構(65)の可動役物(40)に対する連動連結を接続・分離可能な副駆動機構接続分離手段(75)とを備えたことを特徴とする。
【０００９】
請求項３の発明は、請求項２の発明において、前記主駆動機構接続分離手段(70)は、少なくとも役物副駆動機構(65)による可動役物(40)の駆動中、役物主駆動機構(60)の可動役物(40)に対する連動連結を分離し、前記副駆動機構接続分離手段(75)は、少なくとも役物主駆動機構(60)による可動役物(40)の駆動中、役物副駆動機構(65)の可動役物(40)に対する連動連結を分離することを特徴とする。
【００１０】
請求項４の発明は、請求項３の発明において、前記第１位置は、可動役物(40)の回動範囲の上端側の待機位置であり、前記第２位置は、可動役物(40)の回動範囲の下端側の作動位置であり、前記役物副駆動機構(65)は、待機位置を含む所定回動範囲内において可動役物(40)を上下に往復回動させることを特徴とする。
【００１１】
請求項５の発明は、請求項４の発明において、前記役物主駆動機構(60)は、可動役物(40)を作動位置から待機位置へ回動駆動し、前記主駆動機構接続分離手段(70)は、可動役物(40)を待機位置に係止解除可能に係止する役物係止機構(71)を有し、この役物係止機構(71)により可動役物(40)を待機位置に係止した状態で役物主駆動機構(60)の可動役物(40)に対する連動連結を分離するとともに、役物係止機構(71)による可動役物(40)の係止を解除して可動役物(40)を作動位置へ落下させることを特徴とする。
【００１２】
請求項６の発明は、請求項１〜５何れかの発明において、前記役物主駆動機構(60)は、前記支軸(41)から偏心した位置に配設された主駆動軸(61)と、この主駆動軸(61)を回動させる主電動モータ(62)と、主駆動軸(61)に固着された主アーム部材(63)とを有し、この主アーム部材(63)が可動役物(40)の基端側部分に設けられた主係合部(64)に係合解除可能に係合して、可動役物(40)に回動駆動力を入力することを特徴とすることを特徴とする。
【００１３】
請求項７の発明は、請求項１〜５の何れかの発明において、前記役物副駆動機構(65)は、可動役物(40)の先端側に配設された副駆動軸(66)と、この副駆動軸(66)を回動させる副電動モータ(67)と、副駆動軸(66)に固着された副アーム部材(68)とを有し、この副アーム部材(68)が可動役物(40)の先端側部分に設けられた副係合部(69)に係合解除可能に係合して、可動役物(40)に回動駆動力を入力して可動役物を往復回動させることを特徴とすることを特徴とする。
【００１４】
請求項８の発明は、請求項１〜７の何れかの発明において、前記可動役物(40)が細長く構成されたことを特徴とする。
【発明の効果】
【００１５】
請求項１の遊技機によれば、その役物装置において、役物主駆動機構により、可動役物の基端側部分を支持して、可動役物を少なくとも第１，第２位置の一方から他方へ回動駆動し、役物副駆動機構により、可動役物の回動範囲に含まれる所定回動範囲内において、可動役物の先端側部分を支持して、可動役物を回動駆動するので、可動役物の回動駆動を役物主駆動機構と役物副駆動機構とで分担することができる。可動役物を回動させる際、役物主駆動機構の負荷は役物副駆動機構の負荷よりも大きいが、可動役物を少なくとも第１，第２位置の一方から他方へ、即ち、可動役物の回動範囲の略全域に亙って回動させる場合には、役物主駆動機構を利用して行うことができる。そして、可動役物を所定回動範囲内で回動させる場合には、役物副駆動機構を利用して行い、役物副駆動機構の負荷は役物主駆動機構の負荷よりも小さいため、可動役物を機敏に往復回動させることができる。つまり、可動役物の大型化（重量増大）に伴い特に可動役物を細長く構成した場合に、可動役物を回動させる負荷、特に、可動役物を所定回動範囲内で機敏に往復回動させる負荷を軽減し、演出効果を高めることができる。
【００１６】
請求項２の遊技機によれば、主駆動機構接続分離手段により、役物主駆動機構の可動役物に対する連動連結を接続・分離可能になり、副駆動機構接続分離手段により、役物副駆動機構の可動役物に対する連動連結を接続・分離可能になるため、可動役物の回動駆動を役物主駆動機構と役物副駆動機構とで確実に分担することができる。
【００１７】
請求項３の遊技機によれば、主駆動機構接続分離手段は、少なくとも役物副駆動機構による可動役物の駆動中、役物主駆動機構の可動役物に対する連動連結を分離するので、役物主駆動機構を休止させて、役物副駆動機構の負荷にならないようにすることができ、副駆動機構接続分離手段は、少なくとも役物主駆動機構による可動役物の駆動中、役物副駆動機構の可動役物に対する連動連結を分離するので、役物副駆動機構を休止させて、役物主駆動機構の負荷にならないようにすることができる。
【００１８】
請求項４の遊技機によれば、第１位置は、可動役物の回動範囲の上端側の待機位置であり、第２位置は、可動役物の回動範囲の下端側の作動位置であり、役物副駆動機構は、待機位置を含む所定回動範囲内において可動役物を上下に往復回動させるので、可動役物を上方へ回動駆動する負荷が略最大となる所定回動範囲内において、役物副駆動機構を利用して、可動役物を機敏に往復回動させることができる。
【００１９】
請求項５の遊技機によれば、役物主駆動機構は、可動役物を作動位置から待機位置へ回動駆動し、主駆動機構接続分離手段は、可動役物を待機位置に係止解除可能に係止する役物係止機構を有し、この役物係止機構により可動役物を待機位置に係止した状態で役物主駆動機構の可動役物に対する連動連結を分離するとともに、役物係止機構による可動役物の係止を解除して可動役物を作動位置へ落下させるので、役物主駆動機構による駆動と可動役物の落下を利用して、可動役物をその回動範囲の略全域に亙って回動させることができ、特に、可動役物を落下により待機位置から作動位置へ迅速且つ大胆に回動させることができる。
【００２０】
請求項６の遊技機によれば、役物主駆動機構は、支軸から偏心した位置に配設された主駆動軸と、この主駆動軸を回動させる主電動モータと、主駆動軸に固着された主アーム部材とを有し、この主アーム部材が可動役物の基端側部分に設けられた主係合部に係合解除可能に係合して、可動役物に回動駆動力を入力するので、可動役物の基端側部分を確実に支持して、可動役物を少なくとも第１，第２位置の一方から他方へ確実に回動駆動し、そして、主駆動機構接続分離手段の機能を確実に発揮させることができる。
【００２１】
請求項７の遊技機によれば、役物副駆動機構は、可動役物の先端側に配設された副駆動軸と、この副駆動軸を回動させる副電動モータと、副駆動軸に固着された副アーム部材とを有し、この副アーム部材が可動役物の先端側部分に設けられた副係合部に係合解除可能に係合して、可動役物に回動駆動力を入力して可動役物を往復回動させるので、可動役物の先端側部分を確実に支持して、可動役物を確実に回動駆動し、そして、副駆動機構接続分離手段の機能を確実に発揮させることができる。
【００２２】
請求項８の遊技機によれば、可動役物が細長く構成されたので、それに伴って可動役物を回動させる負荷が増大するが、前記のように、可動役物を回動させる負荷、特に、可動役物を所定回動範囲内で機敏に往復回動させる負荷を軽減し、可動役物の落下を利用して可動役物を迅速且つ大胆に下方へ回動させるのに有効になる。
【発明を実施するための最良の形態】
【００２３】
本発明の遊技機の役物装置は、パチンコ遊技機に適用され、第１位置と第２位置とに亙って回動自在に基端部が支軸を介して機枠に支持された可動役物を備え、可動役物の基端側部分を支持して、可動役物を少なくとも第１，第２位置の一方から他方へ回動駆動する役物主駆動機構と、可動役物の回動範囲に含まれる所定回動範囲内において、可動役物の先端側部分を支持して、可動役物を回動駆動する役物副駆動機構とを備えている。
【実施例】
【００２４】
図１〜図３に示すように、パチンコ遊技機１には、遊技ホールに取付けられる外枠に開閉枠２が開閉自在に装着され、開閉枠２に開閉扉３が開閉自在に装着されている。開閉枠２には遊技盤４が装着され、その遊技盤４の前面側に遊技領域５が形成されている。開閉扉３には窓３ａが形成され、その窓３ａに透明板３ｂが装着され、その透明板３ｂにより遊技領域５の前側が覆われている。
【００２５】
開閉扉３の窓３ａの下側に、遊技球を貯留する貯留皿６と、遊技領域５に遊技球を発射させるために操作する発射ハンドル７が装着されている。発射ハンドル７が回動操作されると、貯留皿６から発射位置に導入された遊技球が発射され、ここで、貯留皿６に複数の遊技球が存在する場合には、複数の遊技球が約０．６秒間隔で連続発射される。発射された遊技球はガイドレール８で案内され遊技領域５の上部に投入される。
【００２６】
図２〜図４に示すように、遊技盤４には、遊技領域５に、多数の障害釘１０、始動入賞口装置１１、ゲート１２、大入賞口装置１３、複数の普通入賞口１４、画像表示器１５、役物装置１６、センタ役物１７が装着され、遊技領域５外に遊技表示盤１８が装着され、遊技盤４の裏面側に制御装置２０が装着されている。
【００２７】
始動入賞口装置１１は、センタ役物１７のステージ下側に配置され、所謂電チューを含む構成で、上始動入賞口１１ａ、下始動入賞口１１ｂ、下始動入賞口１１ｂを開閉する開閉部材１１ｃ、始動入賞口１１ａ，１１ｂに入賞した遊技球を検出する始動口ＳＷ１１ｄ、開閉部材１１ｃを開閉駆動する電チューソレノイド１１ｅを有する。開閉部材１１ｃは、左右対称の２つの短い羽根部材が盤面直角方向の軸回りに動作するように構成され、閉塞位置で下始動入賞口１１ｂへの遊技球の入賞を不可能にし、開放位置で下始動入賞口１１ｂへの遊技球の入賞を可能にする。図２の開閉部材１１ｃは開放位置にある。
【００２８】
ゲート１２はセンタ役物１７の左側に配置され、このゲート１２を通過した遊技球を検出するゲートＳＷ１２ａが付設されている。ゲート１２を遊技球が通過することを契機に行われる補助遊技抽選により当選した場合に、補助遊技が発生し、始動入賞口装置１１が作動して、通常は閉塞の下始動入賞口１１ｂが開放するように開閉部材１１ｃを開閉動作させる。
【００２９】
大入賞口装置１３は、始動入賞口装置１１の下側に配置され、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ソレノイド１３ｄを有する。開閉部材１３ｂは、盤面平行方向の軸回りに動作するように構成され、閉塞位置で大入賞口１３ａへの遊技球の入賞を不可能にし、開放位置で大入賞口１３ａへの遊技球の入賞を可能にする。図２の開閉部材１３ｂは開放位置にある。
【００３０】
始動入賞口１１ａ，１１ｂへの遊技球の入賞を契機に行われる大当り抽選で当選した場合に、大当り遊技が発生し、大入賞口装置１３が作動して、通常は閉塞の大入賞口１３ａが開放するように開閉部材１３ｂを開閉動作させる。各普通入賞口１４には入賞した遊技球を検出する普通入賞口ＳＷ１４ａが付設されている。
【００３１】
画像表示器１５は、液晶ディスプレイからなり、センタ役物１７に大きく設けられている。この画像表示器１５には、始動入賞口１０ａ，１０ｂへの遊技球の入賞を契機に大当り抽選演出が表示され、その大当り抽選演出では、演出図柄を用いて図柄変動や大当り抽選の結果が表示され、また、大当り遊技中には大当り演出が表示される。
【００３２】
役物装置１６は、本願特有のものであり、その固定役物３５と可動役物４０がセンタ役物１７の上部から右部に亙って設けられている。この役物装置１６については後で詳述する。尚、センタ役物１７には、役物装置１６以外に種々の電飾が設けられている。
【００３３】
発射ハンドル７を回動操作することで、発射され遊技領域５の上部に投入された遊技球は、複数の障害釘１０に当たって方向を変えながら落下して、入賞口１１ａ，１１ｂ，１３ａ，１４の何れかに入賞した場合、そこから遊技領域５外へ排出され、入賞口１１ａ，１１ｂ，１３ａ，１４の何れにも入賞しなかった場合には、最終的に、遊技領域５の下端部に形成されたアウト口１９から遊技領域５外へ排出される。
【００３４】
図４に示すように、制御装置２０は、メイン制御装置２１とサブ制御装置２５とで構成されている。メイン制御装置２１は、メイン制御基板２２にＣＰＵとＲＯＭとＲＡＭを備えて構成され、サブ制御装置２５は、払出制御基板２６、演出制御基板２７、画像制御基板２８、ランプ制御基板２９を備え、この複数の制御基板２６〜２９は夫々ＣＰＵとＲＯＭとＲＡＭを備えて構成されている。
【００３５】
メイン制御基板２２が、始動口ＳＷ１１ｄ、ゲートＳＷ１２ａ、大入賞口ＳＷ１３ｃ、普通入賞口ＳＷ１４ａからの検出信号と、払出制御基板２６からの制御情報を受けて、電チューソレノイド１１ｅ、大入賞口ソレノイド１３ｄ、特別図柄表示器１８ａ、普通図柄表示器１８ｂ、特別図柄保留表示器１８ｃ、普通図柄保留表示器１８ｄを制御し、払出制御基板２６と演出制御基板２７に制御情報を出力する。
【００３６】
払出制御基板２６は、メイン制御基板２２からの制御情報を受けて、払出駆動モータ３０を制御し、入賞口１１ａ，１１ｂ，１３ａ，１４への遊技球の入賞１個について、入賞口１１ａ，１１ｂ，１３ａ，１４毎に設定された数の遊技球を貯留皿６に払い出し、メイン制御基板２２に制御情報を出力する。演出制御基板２７は、メイン制御基板２２からの制御情報と、貯留皿６に設けられた演出ボタン３１からの操作信号を受けて、役物装置１６を制御し、画像制御基板２８とランプ制御基板２９に制御情報を出力する。
【００３７】
画像制御基板２８は、演出制御基板２７からの制御情報を受けて、画像表示器１５とスピーカ３２を制御し、演出制御基板２７に制御情報を出力する。ランプ制御基板２９は、演出制御基板２７からの制御情報を受けて、主に画像制御基板２８による制御に同期させて、枠ランプ３３と盤ランプ３４を制御する。スピーカ３２と枠ランプ３３は開閉扉３に設けられ、盤ランプ３４は遊技盤４に設けられている。
【００３８】
役物装置１６について詳しく説明する。
図２〜図２０に示すように、役物装置１６は、固定役物３５、可動役物４０、装飾灯５０、役物主駆動機構６０、役物副駆動機構６５、主駆動機構接続分離機構７０（主駆動機構接続分離手段７０）、副駆動機構接続分離機構７５（副駆動機構接続分離手段７５）、ワンウェイダンパ１００、緩衝ゴム部材１１０等を備えている。
【００３９】
ここで、センタ役物１７には、遊技盤４に取付けられた合成樹脂製の機枠１７ａが設けられ、この機枠１７ａに役物装置１６が装着され、機枠１７ａの矩形中央穴に画像表示器１５が後側から臨むように取付けられている。
【００４０】
図２、図３、図５〜図１１、図１４〜図１８に示すように、固定役物３５と可動役物４０は、前記のように、センタ役物１７の上部から右部に亙って設けられ、関連のある１つのキャラクタからなる役物を構成している。
【００４１】
固定役物３５が、顔３５ａと左上腕３５ｂとを形成し、可動役物４０が、細長く構成され、左下腕４０ａと左手の指４０ｂと左手で持たれた火玉４０ｃとを形成している。固定役物３５と可動役物４０は機枠１７ａよりも前側に配置され、固定役物３５は機枠１７ａに固定され、可動役物４０は図２に示す待機位置（第１位置、上限位置）と図３、図５に示す作動位置（第２位置、下限位置）とに亙って回動自在に基端部が支軸４１を介して機枠１７ａに支持されている。
【００４２】
ここで、機枠１７ａの上部前面に合成樹脂製の電飾カバー４５が取付けられ、この電飾カバー４５に電飾文字４６（「ＭＵＳＣＬ！！」）が設けられている。そして、可動役物４０が待機位置のときに、左下腕４０ａが斜め上方へ挙げられて、指４０ｂと火玉４０ｃの略全体が画像表示器１５よりも上方に位置し、この左下腕４０ａと指４０ｂと火玉４０ｃにより電飾文字４６が隠蔽される。また、可動役物４０が作動位置のときに、左下腕４０ａが略水平になって、指４０ｂと火玉４０ｃの略全体が画像表示器１５の前側に位置し、電飾文字４６が露出する。
【００４３】
可動役物４０は、左下腕４０ａと指４０ｂと火玉４０ｃの形状に対応する形状の合成樹脂製のベース部材４２を有し、このベース部材４２が支軸４１に固定的に連結されて、その支軸４１が機枠１７ａに回動自在に支持され、このベース部材４２に、左下腕４０ａと指４０ｂと火玉４０ｃがベース部材４２から前方へ膨出するように取付けられている。
【００４４】
図２、図３、図５〜図１０、図１７、図１８に示すように、装飾灯５０は、可動役物４０の先端側部分に設けられ、ベース部材４２、ＬＥＤ基板５１（プリント基板５１）、複数のＬＥＤ５２（光源５２）、光透過カバー５３、光拡散シート５４、図柄表示部材５５、複数（例えば、４つ）の突起部５６、表示駆動機構５７を備えている。
【００４５】
ベース部材４２の先端側部分の前面部に基板取付部４２ａが形成されている。ＬＥＤ基板５１は火玉４０ｃの正面視形状と略同じ形状に形成され、このＬＥＤ基板５１がベース部材４２の基板取付部４２ａに取付けられている。複数のＬＥＤ５２は、夫々、フルカラーＬＥＤからなり、ＬＥＤ基板５１の前面に実装されている。
【００４６】
光透過カバー５３は、光透過性のある合成樹脂製のカバーであり、厚さ数ｍｍ（例えば、１ｍｍ程度）で全体的に前方凸となる形状に形成されている。光透過カバー５３は、その後端部の複数箇所がベース部材４２にビス止めされて取付けられ、火玉４０ｃを形成するとともに、ＬＥＤ基板５１（複数のＬＥＤ５２）の前側を覆っている。
【００４７】
光透過カバー５３の後側内面部は複数のカバー側内面凹凸部５３ａ（カバー側凹凸部５３ａ）を有し、光透過カバーの前側外面部は複数のカバー側内面凹凸部５３ａに夫々対応する複数のカバー側外面凹凸部５３ｂを有する。尚、複数の凹凸部５３ａ，５３ｂは不規則に形成されている。
【００４８】
光拡散シート５４は、光透過カバー５３の複数のカバー側内面凹凸部５３ａに夫々合致する複数のシート側凹凸部５４ａを有する形状（光拡散シート５４とオフセット形状）に成形されて、光透過カバー５３の後側内面部に全体が近接状（略接触する状態）に取付けられている。この光拡散シート５４は、光拡散性のある合成樹脂製のシートであり、例えば、前後両面に多数の微細な網目を形成したものである。
【００４９】
光拡散シート５４は、平滑な光拡散シートをブロー成形することで形成されている。ここで、光拡散シート５４は、その外周部に一体成形された複数（例えば、２つ）の取付片５４ｂを有し、この複数の取付片５４ｂが、ベース部材４２と光透過カバー５３との間に挟持状に取付けられている。
【００５０】
図柄表示部材５５は、ＬＥＤ基板５１と光拡散シート５４との間において光拡散シート５４に接近させた状態でベース部材５１に前後の軸心回りに回動可能に装着されている。図柄表示部材５５は、複数のＬＥＤ５２の光を前方へ透過する図柄部５５ａと、図柄部５５ａと一体的に設けられたベース部５５ｂとを有する。図柄部５５ａの前面が光拡散シート５４に接近し、ベース部５５ｂは図柄部５５ａの後端側に設けられている。
【００５１】
図柄部５５ａは、立体的に形成され、具体的には、前後に厚みがある図柄（文字「肉」）を形成して、その図柄部５５ａの前面が部分球面状に形成され、ベース部５５ｂは正面視にて図柄部５５ａよりも多少大きな円板状に形成され、図柄部５５ａとベース部５５ｂの中心軸が略一致する位置関係にある。ベース部５５ｂの後面全体が鉛直平滑面をなし、即ち、ベース部５５ｂの後面に環状平滑面５５ｃが形成されている。
【００５２】
図柄部５５ａとベース部５５ｂは、夫々、基材として、光透過性のある合成樹脂製の別部材にて構成され、図柄部５５ａは、その後面をベース部５５ｂの前面に当接させた状態で、図柄部５５ａの立体的な図柄（文字「肉」）を形成する部分以外の底部が、ベース部５５ｂにビス止めにて固着されている。
【００５３】
そして、図柄部５５ａの前後両面以外の側面に遮光膜が形成され、また、ベース部５５ｂの外周面と、ベース部５５ｂの前面のうち図柄部５５ａが固着された部分以外に遮光膜が形成されている。つまり、複数のＬＥＤ５２の光は、ベース部５５ｂを透過して図柄部５５ａを透過し、図柄部５５ａの前面を発光させる。尚、遮光膜については、図柄部５５ａとベース部５５ｂに着色材を塗布して形成され、この場合、先ず、黒色塗膜を形成し、その黒色塗膜の表面に白色塗膜を形成したものである。
【００５４】
ベース部５５ｂの中心部には後方へ突出するボス部５５ｄが一体的に形成され、このボス部５５ｄに軸部材５８の前端部が内嵌固着されている。ボス部５５ｄと軸部材５８は、ＬＥＤ基板５１とベース部材４２の基板取付部４２ａに形成された穴５１ａ，４２ｂを挿通し、軸部材５８の後端部がベース部材４２に回動自在に支持されている。
【００５５】
複数の突起部５６は、ＬＥＤ基板５１よりも前方へ突出するように、軸部材５８を中心に周方向等間隔（例えば、９０度間隔）おきに設けられ、図柄表示部材５５のベース部５５ｂの環状平滑面５５ｃに摺動自在に当接して図柄表示部材５５をＬＥＤ基板５１の複数のＬＥＤ５２を含む実装部品に接触させないように支持している。複数の突起部５６は、ベース部材４２の基板取付部４２ａに前方突出状に一体形成され、ＬＥＤ基板５１に形成された複数の孔を挿通して、ＬＥＤ基板５１よりも前方へ突出している。
【００５６】
表示駆動機構５７は、図柄表示部材５５を動作させるものであり、図柄表示部材５５を前後の軸心回りに回動駆動するように構成されている。表示駆動機構５７は、図８〜図１０に示すように、駆動源となる表示駆動ソレノイド５７ａと、表示駆動ソレノイド５７ａによる直線運動を図柄表示部材５５の回動運動に変換する変換機構５７ｂとを備えている。表示駆動ソレノイド５７ａは、ベース部材４２の後面部に、前後方向と直交し且つ軸部材５８から偏心した点を通る向きに配置固定されている。
【００５７】
変換機構５７ｂにおいては、円板部材５７ｃが、その中心を軸部材５８と一致させた状態で、ベース部材４２の後面部に後方突出状の周壁を形成することで形成された凹部４２ｃに回動自在に収容されている。この円板部材５７ｃに軸部材５８が貫通状に固着され、円板部材５７ｃの外周近傍部には後方へ突出するピン部５７ｄが一体形成されている。
【００５８】
また、変換機構５７ｂにおいて、表示駆動ソレノイド５７ａのプランジャ５７ｅの先端部に可動部材５７ｆが連結され、ベース部材４２の後面部に設けられたケース部４２ｄに収容されて、表示駆動ソレノイド５７ａの配置方向と同方向へ移動自在にガイドされている。可動部材５７ｆには軸部材５８と略直交する向き長孔５７ｇが形成され、この長孔５７ｇに円板部材５７ｃのピン部５７ｄが係合している。プランジャ５７ｅには、可動部材５７ｆを付勢する圧縮コイルバネ５７ｈが外装されている。
【００５９】
表示駆動機構５７は、基本的に、図柄表示部材５５（文字「肉」）を正面視にして正規姿勢に維持するために、図柄表示部材５５を回動させるものである。図１０は、可動役物４０が待機位置にある状態を示しており、このとき、圧縮コイルバネ５７ｈにより、図柄表示部材５５（文字「肉」）が正規姿勢に保持される。可動役物４０が待機位置から作動位置に回動されると、表示駆動ソレノイド５７ａが作動し、圧縮コイルバネ５７ｈの付勢力に抗して可動部材４０を引き付けるように駆動して、円板部材５７ｃと共に図柄表示部材５５（文字「肉」）が回動され正規姿勢に保持される。
【００６０】
複数のＬＥＤ５２については、可動役物４０が待機位置で図柄表示部材５５が正規姿勢のときに、第１の一部複数のＬＥＤ５２が、図柄表示部材５５の図柄部５５ａの後側に略全体的に分散して位置するように配置され、可動役物４０が作動位置で図柄表示部材５５が正規姿勢のときにも、第２の一部複数のＬＥＤ５２が、図柄表示部材５５の図柄部５５ａの後側に略全体的に分散して位置するように配置され、また、第１，第２のＬＥＤ５２の中に共通に使用する複数のＬＥＤが設けられるように配置構成されている。
【００６１】
ここで、固定役物３５と可動役物４０と機枠１７ａの他の電飾について説明する。
固定役物３５においては、図２、図３、図５、図６、図２０に示すように、左上腕３５ｂに、第１，第２固定役物電飾部３５ｃ，３５ｄ（左上腕３５ｂから膨出する部分環状的な意匠部）が設けられ、この第１，第２固定役物電飾部３５ｃ，３５ｄの後側に第１，第２固定役物ＬＥＤ３５ｃ１，３５ｄ１が設けられている。第１，第２固定役物ＬＥＤ３５ｃ１，３５ｄ１は、夫々、１又は複数設けられ、ＬＥＤ基板３５ｅの前面に実装され、そのＬＥＤ基板３５ｅは機枠１７ａの前面部に取付けられている。
【００６２】
可動役物４０においては、図２、図３、図５〜図７、図１７、図１８、図２０に示すように、左下腕４０ａに、第１，第２，第３可動役物電飾部４０ｄ，４０ｅ，４０ｆ（左下腕４０ａから膨出する部分環状的な意匠部）が設けられ、この第１，第２，第３可動役物電飾部４０ｄ，４０ｅ，４０ｆの後側に第１，第２，第３可動役物ＬＥＤ４０ｄ１，４０ｅ１，４０ｆ１が設けられている。第１，第２，第３可動役物ＬＥＤ４０ｄ１，４０ｅ１，４０ｆ１は、夫々、複数設けられ、ＬＥＤ基板４０ｇ，４０ｈの前面に実装され、そのＬＥＤ基板４０ｇ，４０ｈはベース部材４２の前面部に取付けられている。
【００６３】
機枠１７ａにおいては、図３、図５、図２０に示すように、前記のように、機枠１７ａの上部前面に取付けられた電飾カバー４５に電飾文字４６が設けられ、この電飾文字４６の後側に機枠ＬＥＤ４６ａが設けられている。機枠ＬＥＤ４６ａは複数設けられ、ＬＥＤ基板（図示略）の前面に実装され、そのＬＥＤ基板は機枠１７ａの前面部に取付けられている。
【００６４】
図１１〜図１５、図２０に示すように、役物主駆動機構６０は、可動役物４０の基端側部分を支持して、可動役物４０を、可動役物４０の回動範囲の下端側の作動位置から可動役物４０の回動範囲の上端側の待機位置へ回動駆動する。
【００６５】
役物主駆動機構６０は、支軸４１から偏心した位置に配設された主駆動軸６１と、この主駆動軸６１を回動させる主電動モータ６２と、主駆動軸６１に固着された主アーム部材６３とを有し、この主アーム部材６３が可動役物４０の基端側部分に設けられた主係合部６４に係合解除可能に係合して、可動役物４０に回動駆動力を入力する。
【００６６】
支軸４１の上側に駆動ユニット８０が設けられ、この駆動ユニット８０は機枠１７ａに後側から取付けられている。駆動ユニット８０において、ユニットケース８１の後面部に主電動モータ６２が前向きに取付けられ、ユニットケース８１の内部にギヤ機構（図示略）が設けられている。主駆動軸６１は、支軸４１の上方近傍において前後方向に延びるように配設され、ベース部材４２に形成された軸挿通孔４２ｅを挿通している。
【００６７】
主駆動軸６１の後端部が前記ギヤ機構の従動ギヤに固着支持され、このギヤ機構を介して主電動モータ６２の出力が主駆動軸６１に伝達される。軸挿通孔４２ｅは、可動役物４０が待機位置と作動位置とに亙って回動可能に、主駆動軸６１がベース部材４２と干渉しないように支持４１を中心とする略円弧状に形成されている。ベース部材４２には、軸挿通孔４２ｅを形成した部分を含む部分に前側から後側へ凹む凹部４２ｆが形成され、この凹部４２ｆの上部側壁が主係合部６４を形成している。
【００６８】
主アーム部材６３は、主駆動軸６１の前端部に一体形成され、主駆動軸６１と直交する方向へ延び凹部４２ｆに収容されている。ユニットケース８１の内部には、主アーム部材６３の原点位置を検出する主アーム部材原点ＳＷ６３ａが設けられている。主アーム部材６３は、主駆動軸６１から左方へ延びる略水平姿勢で原点位置となり、この原点位置の主アーム部材６３には、主係合部６４を含むベース部材４２が干渉することなく、可動役物４０が待機位置と作動位置とに亙って回動可能になる。
【００６９】
可動役物４０が作動位置のとき、主アーム部材６３が原点位置から正面視にて時計回り方向に回動されると、主アーム部材６３の先端部が主係合部６４に係合して、この役物主駆動機構６０と可動役物４０が連動連結された状態になり、可動役物４０を作動位置から待機位置へ回動させる。尚、符号８２は、主電動モータ６２をカバーするユニット外側ケースである。
【００７０】
図１７、図１８、図２０に示すように、役物副駆動機構６５は、可動役物４０の回動範囲に含まれる所定回動範囲内であって、待機位置を含む所定回動範囲内において、可動役物４０の先端側部分を支持して、可動役物４０を回動駆動し、可動役物４０を上下に往復回動させる。
【００７１】
役物副駆動機構６５は、可動役物４０の先端側に配設された副駆動軸６６と、この副駆動軸６６を回動させる副電動モータ６７と、副駆動軸６６に固着された副アーム部材６８とを有し、この副アーム部材６８が可動役物４０の先端側部分に設けられた副係合部６９に係合解除可能に係合して、可動役物４０に回動駆動力を入力して可動役物４０を往復回動させる。
【００７２】
機枠１７ａの上部左部に駆動ユニット８５が取付けられ、この駆動ユニット８５に役物副駆動機構６５が設けられている。駆動ユニット８５に、副電動モータ６７が前向きに取付けられ、また、駆動ギヤ６７ａと従動ギヤ６７ｂを有するギヤ機構が設けられている。副駆動軸６６は、待機位置の可動役物４０の先端部の左方近傍において前後方向に延びるように配設されている。
【００７３】
副駆動軸６６の後端部が従動ギヤ６７ｂに固着支持され、駆動ギヤ６７ａと従動ギヤ６７ｂを介して副電動モータ６７の出力が副駆動軸６６に伝達される。副アーム部材６８は、副駆動軸６６の前端部に一体形成されて、副駆動軸６６と直交する方向へ延びている。
【００７４】
駆動ユニット８５には、副アーム部材６８の原点位置を検出する副アーム部材原点ＳＷ６８ａが設けられている。この副アーム部材原点ＳＷ６８は、発光部と受光部とを有する光学センサ（フォトインタラプタ）かなり、副アーム部材６８に一体的に設けられた遮蔽バー６８ｂが発光部と受光部とを遮蔽することで、副アーム部材６８の原点位置を検出する。副アーム部材６８は、副駆動軸６６から下方へ延びる略鉛直姿勢で原点位置となり、この原点位置の副アーム部材６８には、副係合部６９を含むベース部材４２が干渉することなく、可動役物４０が待機位置と作動位置とに亙って回動可能になる。
【００７５】
副係合部６９は、ベース部材４２の先端部から後方へ延びて、ベース部材４２に前後の軸心回りに回動自在に支持されたローラ部材からなる。可動役物４０が待機位置のとき、副アーム部材６８が原点位置から正面視にて反時計回り方向へ回動されると、副アーム部材６８の先端部が副係合部６９に係合して、この役物副駆動機構６５と可動役物４０が連動連結された状態になり、可動役物４０を待機位置を含む所定回動範囲内において上下に往復回動させる。
【００７６】
ここで、図１１、図１４、図１５、図１６に示すように、可動役物４０を待機位置と作動位置とに亙って回動可能にガイド支持するガイド機構９０が設けられている。このガイド機構９０は、ベース部材４２に設けられ支軸４１を中心とする円弧状に形成されたガイド部材９１と、機枠１７ａに回転自在に支持されてガイド部材９１の前面を転動するガイドローラ９２とを有する。
【００７７】
ベース部材４０には後側から前側へ凹む円弧凹部４２ｇが形成され、この円弧凹部４２ｇの約半分を塞ぐように、ガイド部材９１がベース部材４２の後面部にビス止めされている。ガイドローラ９２は円弧凹部４２ｇに収容され、ローラ支持部材９３に回転自在に支持されている。ローラ支持部材９３にはガイド部材９１の後面に摺動自在に当接可能な当接部９３が形成され、このローラ支持部材９３が支持脚９４を介して機枠１７ａにビス止めされている。
【００７８】
図１１〜図１５、図２０に示すように、主駆動機構接続分離機構７０は、役物主駆動機構６０の可動役物４０に対する連動連結を接続・分離可能なものである。この主駆動機構接続分離機構７０は、役物主駆動機構６０と、役物主駆動機構６０を制御する演出制御基板２７を含み、少なくとも役物副駆動機構６５による可動役物４０の駆動中、役物主駆動機構６０の可動役物４０に対する連動連結を分離する。
【００７９】
主駆動機構接続分離機構７０は、可動役物４０を待機位置に係止解除可能に係止する役物係止機構７１を有し、この役物係止機構７１により可動役物４０を待機位置に係止した状態で役物主駆動機構６０の可動役物４０に対する連動連結を分離するとともに、役物係止機構７１による可動役物４０の係止を解除して可動役物４０を作動位置へ落下させる。
【００８０】
役物係止機構７１は、可動役物４０の基端側に上下動可能に配設された係止部材７２と、この副駆動軸６６を上方へ駆動する係止解除モータ７３とを有し、係止部材７２に待機位置の可動役物４０のベース部材４２の基端側部分に形成された係合アーム４２ｈが係合解除可能に係合して、可動役物４０を待機位置に係止解除可能に係止する。
【００８１】
この役物係止機構７１は、役物主駆動機構６０と共通の駆動ユニット８０に設けられ、この駆動ユニット８０において、ユニットケース８１の後面部に係止解除モータ７３が前向きに取付けられ、係止部材７２が下方位置と上方位置とに亙ってユニットケース８１に移動自在に支持されて、ユニットケース８１から前方へ突出している。ユニットケース８１の内部に、係止解除モータ７３で駆動され係止部材７２を下方位置から上方位置へ押上げる押上機構（図示略）が設けられている。
【００８２】
また、ユニットケース８１の内部には、前記押上機構の原点位置を検出する押上機構原点ＳＷ７３ａが設けられている。押上機構が原点位置のとき、係止部材７２が下方位置になり、押上機構に連動連結されることなく、上方位置へ移動可能になる。そして、押上機構が原点位置から駆動されることで、係止部材７２に連動連結されて、係止部材７２を上方位置へ移動させ、その後、押上機構が原点位置へ駆動される過程で、係止部材７２との連動連結が解除され、係止部材７２が下方位置へ移動する。
【００８３】
係止部材７２は正面視３角形状に形成され、その下部に、右方程下方へ移行する僅かに凸に湾曲した傾斜面７２ａが形成されている。押上機構が原点位置で係止部材７２が下方位置のとき、役物主駆動機構６０により可動役物４０が作動位置から待機位置へ回動されると、ベース部材４２の係合アーム４２ｈの先端部が、係止部材７２の傾斜面７２ａに当接して、係止部材７２を上方位置へ押し上げ、係止部材７２の右側まで移動したところで、係止部材７２が下方位置へ移動して、係合アーム４２ｈの先端部を係止する。この状態で、係止解除モータ７３により係止部材７２が上方位置へ駆動されることで、係止アーム４２の先端部との係止を解除する。
【００８４】
図１７、図１８、図２０に示すように、副駆動機構接続分離機構７５は、役物副駆動機構６５の可動役物４０に対する連動連結を接続・分離可能なものである。この副駆動機構接続分離機構７０は、役物副駆動機構６５と、役物副駆動機構６５を制御する演出制御基板２７を含み、少なくとも役物主駆動機構６０による可動役物４０の駆動中、役物副駆動機構６５の可動役物４０に対する連動連結を分離する。
【００８５】
図１２、図１９に示すように、ワンウェイダンパ１００は、支軸４１に作動可能に連結され、可動役物４０が待機位置から作動位置へ回動する際にのみ作動して可動役物４０を制動する。このワンウェイダンパ１００は、コイル式ダンパからなり、機枠１７ａの後面部に取付けられている。
【００８６】
このワンウェイダンパ１００は、機枠１７ａの後面部に固定される取付板１０１と、取付板１０１の後面に固定されたダンパケース１０２とを有するとともに、このダンパケース１０２に収容された回動部材１０３とコイルバネ１０４とを有する。支軸４１はダンパケース１０２を回動自在に挿通し、支軸４１の後端部にＯリング１０５が装着され、このＯリング１０５によりダンパケース１０２に対して支軸４１が抜け止めされている。
【００８７】
回動部材１０３はダンパケース１０２に回動自在に収容支持され、この回動部材１０３に支軸４１が貫通状に固着されている。コイルバネ１０４は、その両端部がダンパケース１０２と回動部材１０３に形成された係止部１０２ａ，１０３ａに係止されている。ダンパケース１０２と回動部材１０３には、略連続する同径の締付外周面１０２ｂ，１０３ｂが形成され、この締付外周面１０２ｂ，１０３ｂにコイルバネ１０４が外装されている。
【００８８】
図１９は可動役物４０が待機位置にあるときのワンウェイダンパ１００の状態を示しており、コイルバネ１０４の大部分と締付外周面１０２ｂ，１０３ｂとの間に適度な隙間がある。そして、可動役物４０が待機位置から作動位置へ回動するに従って、コイルバネ１０４が縮径して、締付外周面１０２ｂ，１０３ｂへ密着していく。これにより、可動役物４０を制動する制動力が発生し、更に、その制動力は、コイルバネ１０４が縮径する程、つまり、可動役物４０が作動位置へ近づく程大きくなる。
【００８９】
図１４、図１５に示すように、緩衝ゴム部材１１０は、可動役物４０を下限位置で受け止め可能に機枠１７ａに取付けられている。具体的に、緩衝ゴム部材１１０は、可動役物４０のベース部材４２の後方位置において、機枠１７ａに上向きに取付けられている。そして、ベース部材４２の後面部には被受部１１１が一体的に形成され、この被受部１１１が緩衝ゴム部材１１０に上方から当接して受け止められる。
【００９０】
以上説明した役物装置１６の効果について説明する。
装飾灯５０によれば、光透過カバー５３の後側内面部は複数のカバー側内面凹凸部５３ａを有するので、この光透過カバー５３を立体的に形成して、立体感を出すことができる。光拡散シート５４は、光透過カバー５３の複数のカバー側内面凹凸部５３ａに夫々合致する複数のシート側凹凸部５４ａを有する形状に成形されて、光透過カバー５３の後側内面部に近接状に取付けられたので、光拡散シート５４の前記状態での取付けを簡単確実に行うことができ、この光拡散シート５４により、複数のＬＥＤ５２が点光りするのを抑制することができ、また、ＬＥＤ基板５１の前面（複数のＬＥＤ５２を含む）を前方から見えにくくして見栄えの悪化を防止することができる。
【００９１】
複数のＬＥＤ５２の光を前方へ透過する図柄部５５ａを有する図柄表示部材５５が、ＬＥＤ基板５１と光拡散シート５４との間において光拡散シート５４に接近させた状態でベース部材４２に装着されたので、複数のＬＥＤ５２により図柄部５５ａを内側から光らせて表示し、光透過カバー５３の後側内面部に光拡散シート５４が近接状に取付けられたことによって、図柄表示部材５５の発光する図柄を明瞭に表示することができる。光透過カバー５３の後側内面部に光拡散シート５４が近接状に取付けられたことで、ＬＥＤ基板５１と光拡散シート５４との間の間隔を広くすることができ、故に、図柄表示部材５５を比較的大型にした場合でも、図柄表示部材５５の装着スペースを確保することができる。
【００９２】
光透過カバー５３の前側外面部は複数のカバー側内面凹凸部５３ａに夫々対応する複数のカバー側外面凹凸部５３ｂを有するので、この光透過カバー５３を全体的に立体的に形成して、立体感を高めることができる。表示駆動機構５７により図柄表示部材５５を動作させるので、その図柄を可動に表示することができる。その結果、装飾性を高めることができる。図柄表示部材５５は、その図柄部５５ａが立体的に形成されたので、発光する図柄を立体的に表示して、全体的な立体感を高めることができる。
【００９３】
図柄表示部材５５は、その図柄部５５ａと一体的に設けられ且つ後面に環状平滑面５５ｃが形成されたベース部５５ｂを有し、表示駆動機構５７は、図柄表示部材５５を回動駆動するように構成され、複数の突起部５６がＬＥＤ基板５１よりも前方へ突出するように設けられ、ベース部５５ｂの環状平滑面５５ｃに摺動自在に当接して図柄表示部材５５をＬＥＤ基板５１の複数のＬＥＤ５２を含む実装部品に接触させないように支持するので、ベース部５５ｂをＬＥＤ基板５１に接近させ、図柄部５５ａを光拡散シート５４に近接させて、立体的な図柄部５５ａを有する比較的大型の図柄表示部材５５をＬＥＤ基板５１と光拡散シート５４との間に確実に装着し、ＬＥＤ基板５１の実装部品が図柄表示部材５５との接触により損傷するのを確実に防止することができる。
【００９４】
図柄部５５ａの前面が部分球面状に形成されたので、発光する図柄を立体的に確実に表示することができる。光拡散シート５４は、平滑な光拡散シートをブロー成形することで形成されたので、光透過カバー５３の複数のカバー側内面凹凸部５３ａに夫々合致する複数のシート側凹凸部５４ａを有する光拡散シート５４を容易に形成することができる。光拡散シート５４は、その外周部に一体成形された複数の取付片５４ｂを有し、この複数の取付片５４ｂが、ベース部材４２と光透過カバー５３との間に挟持状に取付けられたので、この複数の取付片５４ｂにより、光拡散シート５４を光透過カバー５３の後側内面部に近接状に確実に位置決めして取付けることができる。
【００９５】
役物装置１６によれば、役物主駆動機構６０により、可動役物４０の基端側部分を支持して、可動役物４０を作動位置から待機位置へ回動駆動し、役物副駆動機構６５により、可動役物４０の回動範囲に含まれる所定回動範囲内において、可動役物４０の先端側部分を支持して、可動役物４０を回動駆動するので、可動役物４０の回動駆動を役物主駆動機構６０と役物副駆動機構６５とで分担することができる。
【００９６】
可動役物４０を回動させる際、役物主駆動機構６０の負荷は役物副駆動機構６５の負荷よりも大きいが、可動役物４０を作動位置から待機位置へ、可動役物４０の回動範囲の略全域に亙って回動させる場合には、役物主駆動機構６０を利用して行うことができる。そして、可動役物４０を所定回動範囲内で回動させる場合には、役物副駆動機構６５を利用して行い、役物副駆動機構６５の負荷は役物主駆動機構６０の負荷よりも小さいため、可動役物４０を機敏に往復回動させることができる。つまり、可動役物４０の大型化（重量増大）に伴い特に可動役物を細長く構成した場合に、可動役物４０を回動させる負荷、特に、可動役物４０を所定回動範囲内で機敏に往復回動させる負荷を軽減し、演出効果を高めることができる。
【００９７】
主駆動機構接続分離機構７０により、役物主駆動機構６０の可動役物４０に対する連動連結を接続・分離可能になり、副駆動機構接続分離機構７５により、役物副駆動機構６５の可動役物４０に対する連動連結を接続・分離可能になるため、可動役物４０の回動駆動を役物主駆動機構６０と役物副駆動機構６５とで確実に分担することができる。
【００９８】
主駆動機構接続分離機構７０は、少なくとも役物副駆動機構６５による可動役物４０の駆動中、役物主駆動機構６０の可動役物４０に対する連動連結を分離するので、役物主駆動機構６０を休止させて、役物副駆動機構６５の負荷にならないようにすることができ、副駆動機構接続分離機構７５は、少なくとも役物主駆動機構６０による可動役物４０の駆動中、役物副駆動機構６５の可動役物に対する連動連結を分離するので、役物副駆動機構６５を休止させて、役物主駆動機構６０の負荷にならないようにすることができる。
【００９９】
可動役物４０の待機位置は、可動役物４０の回動範囲の上端側の位置であり、可動役物４０の作動位置は、可動役物４０の回動範囲の下端側の位置であり、役物副駆動機構６５は、待機位置を含む所定回動範囲内において可動役物４０を上下に往復回動させるので、可動役物４０を上方へ回動駆動する負荷が略最大となる所定回動範囲内において、役物副駆動機構６５を利用して、可動役物４０を機敏に往復回動させることができる。
【０１００】
役物主駆動機構６０は、可動役物４０を作動位置から待機位置へ回動駆動し、主駆動機構接続分離機構７０は、可動役物４０を待機位置に係止解除可能に係止する役物係止機構７１を有し、この役物係止機構７１により可動役物４０を待機位置に係止した状態で役物主駆動機構６０の可動役物４０に対する連動連結を分離するとともに、役物係止機構７１による可動役物４０の係止を解除して可動役物４０を作動位置へ落下させるので、役物主駆動機構６０による駆動と可動役物４０の落下を利用して、可動役物４０をその回動範囲の略全域に亙って回動させることができ、特に、可動役物４０を落下により待機位置から作動位置へ迅速且つ大胆に回動させることができる。
【０１０１】
役物主駆動機構６０は、支軸４１から偏心した位置に配設された主駆動軸６１と、この主駆動軸６１を回動させる主電動モータ６２と、主駆動軸６１に固着された主アーム部材６３とを有し、この主アーム部材６３が可動役物４０の基端側部分に設けられた主係合部６４に係合解除可能に係合して、可動役物４０に回動駆動力を入力するので、可動役物４０の基端側部分を確実に支持して、可動役物４０を作動位置から待機位置へ確実に回動駆動し、そして、主駆動機構接続分離機構７０の機能を確実に発揮させることができる。
【０１０２】
役物副駆動機構６５は、可動役物４０の先端側に配設された副駆動軸６６と、この副駆動軸６６を回動させる副電動モータ６７と、副駆動軸６６に固着された副アーム部材６８とを有し、この副アーム部材６８が可動役物４０の先端側部分に設けられた副係合部６９に係合解除可能に係合して、可動役物４０に回動駆動力を入力して可動役物４０を往復回動させるので、可動役物４０の先端側部分を確実に支持して、可動役物４０を確実に回動駆動し、そして、副駆動機構接続分離機構７５の機能を確実に発揮させることができる。
【０１０３】
可動役物４０が細長く構成されたので、それに伴って可動役物４０を回動させる負荷が増大するが、前記のように、可動役物４０を回動させる負荷、特に、可動役物４０を所定回動範囲内で機敏に往復回動させる負荷を軽減し、可動役物４０の落下を利用して可動役物４０を迅速且つ大胆に下方へ回動させるのに有効になる。
【０１０４】
ワンウェイダンパ１００が支軸４１に作動可能に連結され、可動役物４０が待機位置から作動位置へ回動する際にのみ作動して可動役物４０を制動するので、可動役物４０の大型化に伴い特に可動役物を細長く構成した場合に、可動役物４０を待機位置へ付勢するバネを設けることなく、ワンウェイダンパ１００により可動役物４０を作動位置にて機枠１７ａで受け止める際の衝撃を軽減し、可動役物４０や機枠１７ａが損傷することを防止し、故に、可動役物４０を待機位置から作動位置へ迅速且つ大胆に回動させることができ、これにより、演出効果を高めることができ、しかも、これを実現する為の構成の大型化を抑制し、つまり、ワンウェイダンパ１００をコンパクトに設け配置することができる。
【０１０５】
故に、可動役物４０が待機位置にあるときに、主駆動機構接続分離機構７０により役物主駆動機構６０の可動役物４０に対する連動連結を分離した状態で、可動役物４０を待機位置から作動位置に迅速且つ大胆に落下させることができ、この場合、役物係止機構７１による可動役物４０の係止を解除して可動役物４０を作動位置へ落下させるので、可動役物４０を待機位置から作動位置へ確実に落下させることができる。
【０１０６】
可動役物４０を作動位置で受け止め可能に機枠１７ａに取付けられた緩衝ゴム部材１１０を備えたので、可動役物４０を作動位置にて機枠１７ａで受け止める際の衝撃をより確実に軽減することができる。ワンウェイダンパ１００がコイルバネ式ダンパからなるので、このコイルバネ式ダンパ１００を支軸４１に作動可能に連結して、コンパクトに設け配置することができ、しかも、可動役物４０が待機位置から作動位置へ近づくに連れて、可動役物４０を制動する制動力を大きくすることができ、依って、可動役物４０を待機位置から作動位置へ迅速に確実に回動させ得るように構成することができる。
【０１０７】
可動役物４０が細長く構成されたので、前記のように、ワンウェイダンパ１００により可動役物４０を作動位置にて機枠１７ａで受け止める際の衝撃を軽減し、可動役物４０や機枠１７ａが損傷することを防止し、可動役物４０を待機位置から作動位置へ迅速且つ大胆に回動させるのに有効になる。
【０１０８】
前記実施例を次のように部分的に変更してもよい。
（１）装飾灯５０
（ａ）図柄表示部材５５を動作させず、ベース部材４２に固定的に設ける。即ち、表示駆動機構５７を省略する。この場合、複数の突起部５６も省略可能である。
（ｂ）光透過カバー５３の前側外面部の複数のカバー側外面凹凸部５３ｂを省略する。即ち、光透過カバー５３には、その後側内面部にのみ複数のカバー側内面凹凸部５３ａを設ける。
【０１０９】
（ｃ）表示駆動機構５７は、図柄表示部材５５を回動させる以外、直線的な往復移動等、種々の動作を実行可能に構成する。
（ｄ）光拡散シート５４として、前後両面に多数の微細な網目を形成したもの他に、種々の光拡散シートを採用する。
（ｅ）可動役物４０以外の部位に設ける。
【０１１０】
（２）可動役物４０
（ａ）細長く構成することを必須としない。
（ｂ）可動役物４０を回動させる以外に種々の動作を実行可能に構成する。
（ｃ）可動役物の待機位置（第１位置）と作動位置（第２位置）については、前記位置に限定されるのもではなく、種々の位置を設定してもよい。
【０１１１】
（３）役物主駆動機構６０
可動役物４０を作動位置から待機位置へ回動駆動するとともに、待機位置から作動位置への回動するように構成する。
（４）ワンウェイダンパ１００
流体式ダンパを採用する。この場合も、この流体式ダンパを支軸４１に作動可能に連結して、コンパクトに設け配置することができる。
【０１１２】
その他、本発明の趣旨を逸脱しない範囲において、前記開示事項以外の種々の変更を付加して実施可能である。また、本発明は、種々のパチンコ遊技機、或いは、パチンコ遊技機以外のスロットマシン等の種々の遊技機に適用することができる。
【図面の簡単な説明】
【０１１３】
【図１】パチンコ遊技機の正面図である。
【図２】役物装置の可動役物が待機位置にある遊技盤の正面図である。
【図３】役物装置の可動役物が作動位置にある遊技盤の正面図である。
【図４】パチンコ遊技機の制御系のブロック図である。
【図５】可動役物が作動位置にある役物装置の正面図である。
【図６】役物装置の要部の正面図である。
【図７】役物装置の装飾灯の分解斜視図である。
【図８】役物装置の装飾灯の側面図である。
【図９】役物装置の装飾灯の部分断面を含む側面図である。
【図１０】役物装置の装飾灯の裏面図である。
【図１１】役物装置の役物主駆動機構を含む要部の斜視図である。
【図１２】役物装置の役物主駆動機構等の裏面図である。
【図１３】役物主駆動機構等の正面図である。
【図１４】待機位置の可動役物と役物主駆動機構等の正面図である。
【図１５】作動位置の可動役物と役物主駆動機構等の正面図である。
【図１６】図１４のXVI −XVI 線断面図である。
【図１７】可動役物と役物副駆動機構等の斜視図である。
【図１８】可動役物と役物副駆動機構等の正面図である。
【図１９】図１２のXIX −XIX 線断面図である。
【図２０】役物装置の制御系のブロック図である。
【符号の説明】
【０１１４】
１  パチンコ遊技機
１６  役物装置
４０  可動役物
４１  支軸
４２  ベース部材
５０  装飾灯
５１  ＬＥＤ基板
５２  ＬＥＤ
５３  光透過カバー
５３ａ  カバー側内面凹凸部
５３ｂ  カバー側外面凹凸部
５４  光拡散シート
５４ａ  シート側凹凸部
５４ｂ  取付片
５５  図柄表示部材
５５ａ  図柄部
５５ｂ  ベース部
５５ｃ  環状平滑面
５６  突起部
５７  表示駆動機構
６０  役物主駆動機構
６１  主駆動軸
６２  主電動モータ
６３  主アーム部材
６４  主係合部
６５  役物副駆動機構
６６  副駆動軸
６７  副電動モータ
６８  副アーム部材
６９  副係合部
７０  主駆動機構接続分離機構
７１  役物係止機構
７５  副駆動機構接続分離機構
１００  ワンウェイダンパ
１１０  緩衝ゴム部材
【図１】
2010142277.tif 000003
【図２】
2010142277.tif 000004
【図３】
2010142277.tif 000005
【図４】
2010142277.tif 000006
【図５】
2010142277.tif 000007
【図６】
2010142277.tif 000008
【図７】
2010142277.tif 000009
【図８】
2010142277.tif 000010
【図９】
2010142277.tif 000011
【図１０】
2010142277.tif 000012
【図１１】
2010142277.tif 000013
【図１２】
2010142277.tif 000014
【図１３】
2010142277.tif 000015
【図１４】
2010142277.tif 000016
【図１５】
2010142277.tif 000017
【図１６】
2010142277.tif 000018
【図１７】
2010142277.tif 000019
【図１８】
2010142277.tif 000020
【図１９】
2010142277.tif 000021
【図２０】
2010142277.tif 000022